(57)【要約】【課題】浴室と浴室に隣接する洗面室の内壁を横長形状の壁パネルを用いて統合して形成し、浴室および洗面室に空間的な連続性を持たせる。【解決手段】壁パネル載置面を有する壁パネル載置台が、その壁パネル載置面を浴室１に設置される床パンの壁パネル載置面と同一の高さに配置して洗面室２の出入口３、４を除いた全辺に沿って床上に設置され、洗面室に建て込む最下段の壁パネルが壁パネル載置台の壁パネル載置面上に載置され、浴室と浴室に隣接する洗面室の内壁が統合して形成される。【選択図】図１
2008133609.tif 000002
【特許請求の範囲】
【請求項１】
浴室と浴室に隣接する洗面室のコーナー部にジョイント材が立設され、横長形状の壁パネルがジョイント材に結合され、壁パネルが下から上へ積み上げられて浴室および洗面室の内壁が形成される浴室と洗面室の壁構造であって、壁パネル載置面を有する壁パネル載置台が、その壁パネル載置面を浴室に設置される床パンの壁パネル載置面と同一の高さに配置して洗面室の出入口を除いた全辺に沿って床上に設置され、洗面室に建て込む最下段の壁パネルが壁パネル載置台の壁パネル載置面上に載置されることを特徴とする浴室と洗面室の壁構造。
【請求項２】
壁パネル載置台は、壁パネル載置面を形成する壁パネル載置部と、壁パネル載置部と平行に配置された床固定部と、壁パネル載置部から上方に立ち上がる立ち上がり部とを有していることを特徴とする請求項１に記載の浴室と洗面室の壁構造。
【請求項３】
壁パネル載置台において、床固定部が壁パネル載置部の直下に配置されていることを特徴とする請求項２に記載の浴室と洗面室の壁構造。
【発明の詳細な説明】
【技術分野】
【０００１】
本発明は、浴室と浴室に隣接する洗面室の内壁を統合して形成する浴室と洗面室の壁構造に関する。
【背景技術】
【０００２】
住宅の浴室や洗面室などは規格化されたユニットルームとして形成され、内壁は壁パネルによって形成されている。
【０００３】
従来、壁パネルには床面から天井面に達する縦長形状を有するものが用いられ、この縦長の壁パネルの複数が、浴室や洗面室などの室の全辺に沿って横に並置され、相互間において接合して立設され、内壁が形成される。
【０００４】
しかしながら、室の高さは物件によって異なるため、縦長の壁パネルは物件ごとに生産しなければならず、在庫として保有することができない。また、縦方向の撓みなどを防止するために補強を施しておく必要があり、縦長の壁パネルは、施工に間に合わせるために初期の段階で仕様を決め、生産しておかなければならなかった。このため、室のサイズは初期のプラン通りとなり、変更などを行うことはほとんどできなかった。
【０００５】
以上のような不都合を解消するものとして、横幅が室の各辺の長さに略等しい横長形状の壁パネルを用い、室のコーナー部にジョイント材を立設し、このジョイント材に横長の壁パネルを結合して壁パネル同士を直角に連結し、横長の壁パネルを下から上へ積み上げて内壁を形成する壁構造が提案されている（特許文献１、２）。
【特許文献１】特開２００６−２９０２４号公報
【特許文献２】特開２００６−１６８３７号公報
【発明の開示】
【発明が解決しようとする課題】
【０００６】
しかしながら、特許文献１、２に記載された壁構造は、いずれも、浴室や洗面室などの室単位に適用されるものであり、通常互いに隣接して配置される浴室および洗面室についても各室ごとに内壁の形成を行わなければならない。このため、浴室、洗面室のそれぞれに設計が必要とされ、施工の取り合いを検討しなければならないなどの問題があった。
【０００７】
また、浴室では、最下段の壁パネルは、浴室に設置される床パンの外縁部に設けられたフランジ部における水平面部を壁パネル載置面としてこの水平面部上に建て込まれるのが一般的であるが、床パンのフランジ部の水平面部は、通常、洗面室の床より高い位置に配置されるため、洗面室の内壁を壁パネルにより形成しようとする場合、床上に載置される最下段の壁パネルと浴室に建て込まれる最下段の壁パネルの間に段違いが生じる。このような段違いは積み上げる壁パネルに反映され、浴室と洗面室に空間的な連続性を持たせることができない。
【０００８】
本発明は、以上の通りの事情に鑑みてなされたものであり、浴室と浴室に隣接する洗面室の内壁を横長形状の壁パネルを用いて統合して形成することができ、浴室および洗面室に空間的な連続性を持たせることのできる浴室と洗面室の壁構造を提供することを課題としている。
【課題を解決するための手段】
【０００９】
本発明の浴室と洗面室の壁構造は、上記の課題を解決するために、以下のことを特徴としている。
【００１０】
第１に、浴室と浴室に隣接する洗面室のコーナー部にジョイント材が立設され、横長形状の壁パネルがジョイント材に結合され、壁パネルが下から上へ積み上げられて浴室および洗面室の内壁が形成される浴室と洗面室の壁構造であって、壁パネル載置面を有する壁パネル載置台が、その壁パネル載置面を浴室に設置される床パンの壁パネル載置面と同一の高さに配置して洗面室の出入口を除いた全辺に沿って床上に設置され、洗面室に建て込む最下段の壁パネルが壁パネル載置台の壁パネル載置面上に載置される。
【００１１】
第２に、上記第１の特徴において、壁パネル載置台は、壁パネル載置面を形成する壁パネル載置部と、壁パネル載置部と平行に配置された床固定部と、壁パネル載置部から上方に立ち上がる立ち上がり部とを有している。
【００１２】
第３に、上記第２の特徴において、壁パネル載置台において、床固定部が壁パネル載置部の直下に配置されている。
【発明の効果】
【００１３】
上記第１の発明によれば、浴室と浴室に隣接する洗面室のコーナー部にジョイント材が立設され、横長形状の壁パネルがジョイント材に結合され、壁パネルが下から上へ積み上げられて浴室および洗面室の内壁を統合して形成することができる。内壁は浴室から洗面室まで統一感のあるものとなる。しかも、壁パネル載置面を有する壁パネル載置台が、その壁パネル載置面を浴室に設置される床パンの壁パネル載置面と同一の高さに配置して洗面室の出入口を除いた全辺に沿って床上に設置され、洗面室に建て込む最下段の壁パネルが壁パネル載置台の壁パネル載置面上に載置されるので、浴室と洗面室にそれぞれ建て込む壁パネルの段を両室で揃えることができ、浴室および洗面室に空間的な連続性を持たせることができる。
【００１４】
上記第２の発明によれば、上記第１の発明の効果に加え、壁パネル載置台が床パンのフランジ部と同様な構成を有するものとなり、浴室および洗面室に建て込む最下段の壁パネルに両室共用の構造を適用することができ、部材の簡略化および施工の容易化が図れる。また、壁パネル載置台は、床固定部において床上に固定することができ、固定された状態では、床パネル載置部が形成する壁パネル載置面が床に平行に配置されるので、水平出しが容易となる。
【００１５】
上記第３の発明によれば、上記第２の発明の効果に加え、床固定部が壁パネル載置部の直下に位置するので、壁パネル載置台において床固定部の張り出しが抑えられ、洗面室の有効長を十分に確保することができる。
【発明を実施するための最良の形態】
【００１６】
図１は、本発明の浴室と洗面室の壁構造により形成された浴室および洗面室の一実施形態を示した平面図である。図２は、図１に示した浴室および洗面室のＡ−Ａ断面図である。図３は、図１に示した浴室および洗面室のＢ−Ｂ断面図である。
【００１７】
浴室１に隣接して洗面室２が配設されており、浴室１および洗面室２の内壁が、出入口３、４を除いた浴室１および洗面室２の各辺に対応する長さを有する横長形状の壁パネル５ａ、５ｂ、５ｃが床Ｆから天井Ｃに向かって３段に積み上げられて形成されている。浴室１と洗面室２の境界の出入口３にドアユニット６が取り付けられている。ドアユニット６ではドア枠６ａに透明なガラス板６ｂが嵌め込まれ、ガラス戸６ｃは浴室１側に開く開き戸とされている。
【００１８】
図４は、壁パネルを示した裏面図である。
【００１９】
下段、中段および上段の壁パネル５ａ、５ｂ、５ｃのいずれも、図１−３に示した出入口３、４を除いた浴室１および洗面室２の各辺に対応する長さを有する横長矩形の化粧板７の裏面に化粧板７と略同一形状に組み立てられた矩形の金属製のフレーム枠８が取り付けられて形成されている。フレーム枠８は、化粧板７の縦幅に対応して平行に配置された上フレーム８ａと下フレーム８ｂの左右それぞれの端部に左フレーム８ｃ、右フレーム８ｄを直交させて連結して形成されている。フレーム枠８では、中央寄りに中フレーム８ｅが左右一対として設けられ、各中フレーム８ｅは左フレーム８ｃおよび右フレーム８ｄに平行に配置されている。左右の中フレーム８ｅ、上フレーム８ａおよび下フレーム８ｂで囲まれる領域において化粧板７の裏面に合板９が取り付けられている。合板９は、化粧板７の強度を高めるとともに、浴室１および洗面室２において必要とされる部材、器具などを化粧板７に表面側から取り付ける際の強固な固定を可能にしている。
【００２０】
このような壁パネル５ａ、５ｂ、５ｃでは、下段および中段の壁パネル５ａ、５ｂが標準サイズのものとして規格化され、在庫として保有することができるようにし、上段の壁パネル５ｃのみが高さ調整用として縦幅を物件に応じて変更することができる受注生産品としている。また、下段の壁パネル５ａでは、フレーム枠８の下フレーム８ｂが化粧板７の下縁より少し上側に配置されている。中段および上段の壁パネル５ｂ、５ｃでは、下フレーム８ｂは化粧板７の下縁に沿って配置されている。
【００２１】
さらに、壁パネル５ａ、５ｂ、５ｃでは、図５＜ａ＞＜ｂ＞に示したように、側端面部を形成する左フレーム８ｃおよび右フレーム８ｄの外側面１０に被嵌合部１１としてジョイント孔１２が形成されている。ジョイント孔１２の形状は、左フレーム８ｃと右フレーム８ｄとで異なっている。左フレーム８ｃの外側面１０に形成されたジョイント孔１２は、上部に円孔部１２ａを有し、円孔部１２ａから下方に狭小で細長い縦長孔部１２ｂが連続している。右フレーム８ｄのジョイント孔１２は、左フレーム８ｃに形成されたジョイント孔１２の円孔部１２ａより縦長の長円孔部１２ｃを有し、長円孔部１２ｃから下方に狭小ではあるが、左フレーム８ｃに形成されたジョイント孔１２の縦長孔部１２ｂより長さの短い縦孔部１２ｄが連続している。このようなジョイント孔１２は、左フレーム８ｃおよび右フレーム８ｄに所定の間隔で複数形成されている。
【００２２】
これらの壁パネル５ａ、５ｂ、５ｃは、図１に示した浴室１および洗面室２の各コーナー部においてジョイント材に結合させて浴室１および洗面室２の出入口３、４を除く各辺に沿って建て込まれる。
【００２３】
図６は、ジョイント材を示した斜視図である。
【００２４】
ジョイント材１３は、図１に示した浴室１および洗面室２の各コーナー部において床Ｆに立設されるものであり、各壁パネル５ａ、５ｂ、５ｃの縦幅に略等しい長さを有する３種類が用意されている。ジョイント材１３は、金属製であり、各々で長さが異なっているが、構成は共通している。
【００２５】
すなわち、ジョイント材１３は、直交する２つの結合面部１３ａ、１３ｂを有し、下端部に結合面部１３ａ、１３ｂの裏面側から下方に延びる断面略Ｌ字形状を有する接続部１３ｃを備えている。接続部１３ｃは、たとえば結合面部１３ａ、１３ｂと別体として形成し、溶接などによって結合面部１３ａ、１３ｂのそれぞれの裏面下端部に結合することができる。結合面部１３ａ、１３ｂは、一枚の金属板を直角に折り曲げることにより形成することができ、各結合面部１３ａ、１３ｂの端縁部１４は裏面側に直角に折り曲げ、結合面部１３ａ、１３ｂの面強度を高めるとともに、後述するジョイント材１３、１３Ａ同士の上下接続の際に、上側のジョイント材１３Ａの接続部１３ｃが下側のジョイント材１３の上端部から外側に外れず、差し込みを確実にするストッパーを兼ねている。
【００２６】
結合面部１３ａ、１３ｂには、それぞれ、図５＜ａ＞＜ｂ＞に示した壁パネル５ａ、５ｂ、５ｃの左フレーム８ｃおよび右フレーム８ｄの外側面１０に形成されたジョイント孔１２に対応する位置に嵌合部１５が設けられている。図６に示したジョイント材１３では、嵌合部１５としてダボ１６が結合面部１３ａ、１３ｂに突設されている。ダボ１６は、結合面部１３ａ、１３ｂに表裏を貫通する孔を形成し、この孔にダボ１６の一端部を嵌入することにより、結合面部１３ａ、１３ｂに突設することができる。
【００２７】
以上の壁パネル５ａ、５ｂ、５ｃおよびジョイント材１３を用いて浴室１および洗面室２の内壁を形成していくが、図７に示したように、浴室１では、浴室１に設置される床パンＦ１の外縁部に設けられたフランジ部１７における水平面部１７ａの上面が最下段の壁パネル５ａを建て込む際の基準面、つまり、壁パネル５ａを載置する壁パネル載置面３０とされ、この床パンＦ１における壁パネル載置面３０は洗面室２の床Ｆ２より一般に高い位置に配置される。そこで、洗面室２における下段の壁パネル５ａの施工基準面を床パンＦ１の壁パネル載置面３０の高さに上げ、洗面室２に建て込む壁パネル５ａ、５ｂ、５ｃの段を浴室１に建て込む壁パネル５ａ、５ｂ、５ｃと揃える。そのために、洗面室２には床Ｆ２上に壁パネル載置台５０が設置される。壁パネル載置台５０は、洗面室２の図１に示した出入口３、４を除く全辺に沿って設置される。壁パネル載置台５０は、横長形状の部材であり、壁パネル載置面４０を有し、壁パネル載置面４０は、床パンＦ１の壁パネル載置面３０と同一の高さに配置される。
【００２８】
図８＜ａ＞＜ｂ＞は、それぞれ、図７に示した壁パネル載置台の正面側の斜視図、背面側の斜視図である。
【００２９】
壁パネル載置台５０は、壁パネル載置面４０を形成する壁パネル載置部５０ａと、壁パネル載置部５０ａに平行に配置された床固定部５０ｂと、壁パネル載置部５０ａから上方に立ち上がる立ち上がり部５０ｃとを有している。これらの壁パネル載置部５０、床固定部５０ｂおよび立ち上がり部５０ｃを形成するために、図８に示した壁パネル載置台５０は３種類の部材から形成されている。
【００３０】
一つ目は、壁パネル載置台５０の左右両端部および長さ方向に所定の間隔で配置される縦板５１である。縦板５１には、上端から高さ方向の中程にかけて略Ｌ字形状の段部５１ａが形成されている。二つ目は、所定の間隔で配置された縦板５１の段部５１ａに横架される横架材５２である。横架材５２は、横長の部材であり、縦板５１の段部５１ａに重なり合う略Ｌ字形状の断面を有している。水平部５２ａの一端部から垂直部５２ｂが上方に延びている。三つ目は、断面略コ字形状の基材５３である。基材５３は、横架材５２の長さに略等しい横長の部材である。上水平部５３ａと上水平部５３ａに平行に配置された下水平部５３ｂをそれぞれの対向する端部において垂直部５３ｃが連結している。下水平部５３ｂには表裏を貫通する孔５４が、左右両端部および長さ方向に所定の間隔で形成されている。上水平部５３ａの奥行きは、横架材５２の水平部５２ａの奥行きに略等しく、下水平部５３ｂの奥行きは、縦板５１の下端の横幅に略等しい。これらの縦板５１、横架材５２および基材５３はいずれも金属製である。
【００３１】
壁パネル載置台５０は、基材５３の左右両端部および長さ方向に所定の間隔で縦板５１を複数配置し、縦板５１の段部５１ａにわたって横架材５２を横架し、基材５３の上水平部５３ａを横架材５２の水平部５２ａの上に重ね合わせ、縦板５１を基材５３の内側に重ね合わせて、相互に接触する部位を溶接により接合し、一体に組み立てられている。壁パネル載置台５０において、壁パネル載置面４０を形成する壁パネル載置部５０ａは、基材５３の上水平部５３ａによって、床固定部５０ｂは、基材５３の下水平部５３ｂによって、そして、立ち上がり部５０ｃは、横架材５２の垂直部５２ｂによって、それぞれ形成されている。
【００３２】
このような壁パネル載置台５０は、図７に示したように、床固定部５０ｂを形成する基材５３の下水平部５３ｂを洗面室２の床Ｆ２上に配置し、孔５４を通じてビスなどの固着具を床Ｆ２に打ち込むことにより、床Ｆ２上に固定される。固定状態では、基材５３の上水平部５３ａが形成する壁パネル載置部５０ａにより形成される壁パネル載置面４０が、浴室１の床パンＦ１のフランジ部１７の水平面部１７ａにより形成される壁パネル載置面３０と同一の高さとなる。洗面室２において壁パネル載置面４０に載置されて建て込まれる下段の壁パネル５ａを浴室１に建て込まれる下段の壁パネル５ａに揃えることができ、図２に示したように、全ての段の壁パネル５ａ、５ｂ、５ｃが浴室１および洗面室２で揃い、浴室１および洗面室２に空間的な連続性を持たせることができる。
【００３３】
また、固定状態では、床パネル載置部５０ａにより形成される壁パネル載置面４０が洗面室２の床Ｆ２に平行に配置されるので、水平出しが容易である。
【００３４】
床パンＦ１のフランジ部１７には、一般に、水平面部１７ａの外側端縁から立ち上がり部１７ｂが立ち上げられている。壁パネル載置台５０では、床パンＦ１の立ち上がり部１７ｂに対応するものとして横架材５２の垂直部５２ｂによって立ち上がり部５０ｃを形成している。このように、壁パネル載置台５０は、浴室１に設置される床パンＦ１のフランジ部１７と同様な構成を有しており、このため、浴室１および洗面室２に建て込む最下段の壁パネル５ａに両室共用の構造を適用することができ、部材の簡略化および施工の容易化が図れる。
【００３５】
さらに、図８＜ａ＞＜ｂ＞に示した壁パネル載置台では、床固定部５０ｂが壁パネル載置部５０ａの直下に配置されているため、床パネル載置台５０において床固定部５０ｂが外側に張り出すのが抑えられ、洗面室２の床Ｆ２を占有する面積が小さく、したがって、洗面室２の有効長を十分に確保することができる。
【００３６】
図９＜ａ＞＜ｂ＞は、それぞれ、壁パネル載置台の別の形態を示した断面図である。
【００３７】
図９＜ａ＞に示した壁パネル載置台５０Ａは、木質部材から形成されている。すなわち、壁パネル載置台５０Ａは、垂木５５と垂木５５の一側面に重合して取り付けられる合板５６とから形成されている。垂木５５の上面が壁パネル載置部５０ａとされ、壁パネル載置面４０を形成し、垂木５５の下面が床固定部５０ｂとされている。垂木５５は床Ｆ２上に載置され、固定ネジ５７などの固着具を上面から打ち込むことにより床Ｆ２に固定される。合板５６はビス５８などの固着具によって下端を揃えて垂木５５に固定することができる。この合板５６によって立ち上がり部５０ｃが形成されている。壁パネル載置台５０Ａは、簡易な構成とされているが、図８＜ａ＞＜ｂ＞に示した壁パネル載置台５０と同様な効果を有する。
【００３８】
図９＜ｂ＞に示した壁パネル載置台５０Ｂは、金具と木質部材との複合材とされている。木質部材としては、図９＜ａ＞に示した壁パネル載置台５０Ａと同様な垂木５５が採用されている。垂木５５の上面が壁パネル載置部５０ａとされ、壁パネル載置面４０を形成し、垂木５５の下面が床固定部５０ｂとされている。垂木５５は床Ｆ２上に載置され、固定ネジ５７などの固着具を上面から打ち込むことにより床Ｆ２に固定される。
【００３９】
一方、図９＜ｂ＞に示した壁パネル載置台５０Ｂでは、断面略Ｌ字形状の金属製のアングル５９が金具として採用され、垂直部５９ａを垂木５５の一側面に当接させ、水平部５９ｂを洗面室２の床Ｆ２上に載置して固定ネジ５７などの固着具によって床Ｆ２に固定されている。アングル５９の垂直部５９ａによって立ち上がり部５０ｃが形成されている。
【００４０】
壁パネル載置台５０Ｂは、壁パネル載置台５０Ａと同様に簡易な構成とされている一方、立ち上がり部５０ｃがアングル５９の垂直部５９ａにより形成されているので、立ち上がり部５０ｃが比較的強度の高いものとなっている。壁パネル載置台５０Ｂも図８＜ａ＞＜ｂ＞に示した壁パネル載置台５０と同様な効果を有する。
【００４１】
壁パネル５ａ、５ｂ、５ｃを浴室１および洗面室２に建て込む際には、まず、図８＜ａ＞＜ｂ＞および図９＜ａ＞＜ｂ＞に示したような壁パネル載置台５０、５０Ａ、５０Ｂを洗面室２の図１に示した出入口３、４を除く全辺に沿って設置する。その後、図７に示したように、浴室１に床パンＦ１を搬入し、床パンＦ１のフランジ部１７の壁パネル載置面３０と壁パネル載置台５０、５０Ａ、５０Ｂの壁パネル載置面４０の高さが一致していることを確認する。
【００４２】
この状態において、浴室１の内壁の施工を開始する。
【００４３】
まず、図１に示した浴室１の直交する２つの内壁Ｗ１、Ｗ２を形成する下段の壁パネル５ａを建て込む。図１０＜ａ＞に示したように、内壁Ｗ１側の壁パネル５ａのフレーム枠８の右フレーム８ｄにジョイント材１３を結合面部１３ａ側において取り付ける。結合面部１３ａに突設されたダボ１６を右フレーム８ｄの外側面１０に形成されたジョイント孔１２の長円孔部１２ｃに挿入し、引き下げ、ダボ１６を縦孔部１２ｄに少し移動させ、緩く嵌合させる。そして、壁パネル５ａを浴室１の床Ｆを形成する床パンＦ１の外周縁部に設けられたフランジ部１７の上に載置する。
【００４４】
このとき、壁パネル５ａの下端部を床パンＦ１のフランジ部１７に差し込むようにして載置すると、壁パネル５ａの位置決めを行うことができ、建て込みが容易となる。そのために、図１１に示したように、壁パネル５ａのフレーム枠８の下フレーム８ｂにその上面から背面側に回り込み、垂下するフック１８がビスなどの固着具によって取り付けられている。フック１８は、壁パネル５ａの厚さ方向に弾性を有している。また、壁パネル５ａでは、フレーム枠８の下フレーム８ｂが、上記の通り、化粧板７の下縁より少し上側に配置されているため、下フレーム８ｂの下面に支持脚部１９がビス２０などの固着具によって取り付けられ、壁パネル５ａのフランジ部１７への載置を安定化させている。支持脚部１９は、下フレーム８ｂの下面に当接して取り付けられる取付部１９ａと、取付部１９ａの化粧板７の裏面に当接する一端から垂下し、化粧板７の裏面に当接する当接部１９ｂと、当接部１９ｂの下端から壁パネル５ａの厚み方向に延び、取付部１９ａに対向して配置された載置部１９ｃとを有している。このような支持脚部１９は、一枚の金属板の折り曲げによって形成することができ、壁パネル５ａのフランジ部１７への載置に際して化粧板７がフランジ部１７と干渉しないように、当接部１９ｂの下端を化粧板７の下縁から若干下方に突出させている。
【００４５】
フック１８および支持脚部１９を壁パネル５ａの下端部に取り付けることにより、壁パネル５ａを床パンＦ１のフランジ部１７に載置する際に、化粧板７とフック１８の間にフランジ部１７の水平面部１７ａの外側端縁から立ち上がる立ち上がり部１７ｂを差し込むことができ、しかもフック１８は弾性によって立ち上がり部１７ｂを挟持することができ、壁パネル５ａが位置決めされて建て込みが容易となる。また、壁パネル５ａは、支持脚部１９の載置部１９ｃにおいてフランジ部１７の水平面部１７ａ上に載置されるので、化粧板７に支障をきたすことなく、また、安定してフランジ部１７の上に載置することができる。
【００４６】
なお、フック１８および支持脚部１９は、下フレーム８ｂの全長にわたって設けても、または一定の間隔をあけて部分的に設けても構わない。
【００４７】
このようにして床パンＦ１のフランジ部１７に載置し、ジョイント材１３を取り付けた壁パネル５ａは、一旦、図１に示した内壁Ｗ１の外側に配設され、浴室１を区画する間仕切壁Ｗに持たれかけておき、内壁Ｗ２側の壁パネル５ａの建て込みを行う。すなわち、図１０＜ａ＞に示したように、内壁Ｗ２側の壁パネル５ａを、内壁Ｗ１側の壁パネル５ａを載置した床パンＦ１のフランジ部１７に直交するフランジ部１７上に下端部を上記のように床パンＦ１のフランジ部１７に差し込んで載置する。この後、内壁Ｗ１側の壁パネル５ａを起こし、ジョイント材１３を結合面部１３ｂ側において内壁Ｗ２側の壁パネル５ａのフレーム枠８の左フレーム８ｃに重合させる。このとき、ジョイント材１３は浴室１の内壁Ｗ１と内壁Ｗ２の間のコーナー部に位置し、結合面部１３ｂに突設されたダボ１６が内壁Ｗ２側の壁パネル５ａの左フレーム８ｃの外側面１０に形成されたジョイント孔１２の円孔部１２ａに挿入される。
【００４８】
この状態において、図１０＜ｂ＞に示したように、プラスチックハンマー２１を用いてジョイント材１３をその上端面において下方に叩き込む。すると、ジョイント材１３の結合面部１３ａ側のダボ１６が内壁Ｗ１側の壁パネル５ａの右フレーム８ｄの外側面１０に形成されたジョイント孔１２の縦孔部１２ｄに嵌まり込み、結合面部１３ｂ側のダボ１６が内壁Ｗ２側の壁パネル５ａの左フレーム８ｃの外側面１０に形成されたジョイント孔１２の縦長孔部１２ｂに嵌まり込み、内壁Ｗ１、Ｗ２側の２枚の壁パネル５ａがジョイント材１３に結合し、ジョイント材１３の接続部１３ｃの下面が床パンＦ１のフランジ部１７の水平面部１７ａに着地する。
【００４９】
図１２に示したように、内壁Ｗ１、Ｗ２側の２枚の壁パネル５ａが浴室１のコーナー部に立設されたジョイント材１３を介して直角に連結される。２枚の壁パネル５ａにおいて隣接する端縁部間にはシーリング材２２を充填し、端縁部を目立たなくすることができる。
【００５０】
次いで、図１に示した内壁Ｗ３を形成する壁パネル５ａを建て込む。図１３に示したように、内壁Ｗ３側の壁パネル５ａをジョイント材１３を用いて内壁Ｗ２側の壁パネル５ａに直角に連結する。この場合、内壁Ｗ３側の壁パネル５ａのフレーム枠８の左フレーム８ｃにジョイント材１３を、ジョイント材１３の結合面部１３ｂに突設されたダボ１６を左フレーム８ｃの外側面１０に形成されたジョイント孔１２に緩く嵌合させて取り付け、内壁Ｗ３側の壁パネル５ａを床パンＦ１のフランジ部１７にフック１８によって差し込んで載置し、ジョイント材１３を浴室１のコーナー部に配置する。次いで、内壁Ｗ３側の壁パネル５ａの左フレーム８ｃに取り付けたジョイント材１３の結合面部１３ａを内壁Ｗ２側の壁パネル５ａのフレーム枠８の右フレーム８ｄの外側面１０に、ダボ１６を右フレーム８ｄの外側面１０に形成されたジョイント孔１２の長円孔部１２ｃに挿入し、重合させる。そして、プラスチックハンマー２１を用いてジョイント材１３を上端面において下方に叩き込む。ダボ１６がジョイント孔１２の縦長孔部１２ｂ、縦孔部１２ｄにそれぞれ嵌まり込み、接続部１３ｃの下端が床パンＦ１のフランジ部１７に着地する。浴室１の内壁Ｗ２、Ｗ３の間のコーナー部にジョイント材１３が立設され、内壁Ｗ２側の壁パネル５ａに内壁Ｗ３側の壁パネル５ａが直角に連結される。こうして、浴室１の出入口３を除く三方の内壁Ｗ１、Ｗ２、Ｗ３における下段の壁パネル５ａが建て込まれる。
【００５１】
中段の壁パネル５ｂの建て込みは、図１４に示したように、浴室１の下段の壁パネル５ａの建て込み終了後に行う。施工された下段の壁パネル５ａはコ字状に連結されており、建て込み状態が安定しているので、中段の壁パネル５ｂの施工が容易となる。
【００５２】
中段の壁パネル５ｂを建て込む際には、壁パネル５ｂの縦幅に略等しい長さを有するジョイント材１３Ａが、下端部の接続部１３ｃを、下段の壁パネル５ａが結合されたジョイント材１３の直交する２つの結合面部１３ａ、１３ｂの内側に、図１１および図１２に示したように差し込み、ジョイント材１３の上に接続される。
【００５３】
ジョイント材１３Ａとジョイント材１３の接続は、壁パネル５ｂの建て込み、すなわち、壁パネル５ｂの壁パネル５ａの上への積み重ねおよび壁パネル５ｂのジョイント材１３Ａへの結合と同時に行われる。
【００５４】
まず、内壁Ｗ１と内壁Ｗ２の間のコーナー部に立設されたジョイント材１３にジョイント材１３Ａを、接続部１３ｃをジョイント材１３の上端部に部分的に挿入して仮接続しておく。次いで、壁パネル５ａの上端に下端を重合させて壁パネル５ｂを壁パネル５ａの上に配置した後、壁パネル５ｂを壁パネル５ａ上で横幅方向にスライドさせ、ジョイント材１３Ａの結合面部１３ａに接近させ、壁パネル５ｂのフレーム枠８の右フレーム８ｄの外側面１０に形成されたジョイント孔１２の長円孔部１２ｃにジョイント材１３Ａの結合面部１３ａに突設されたダボ１６を挿入し、緩く嵌合させて仮嵌合状態にする。そして、ジョイント材１３Ａをその上端面においてプラスチックハンマー２１を用いて下方に叩き込む。接続部１３ｃがジョイント材１３の上端部に完全に差し込まれ、ジョイント材１３Ａがジョイント材１３の上に本接続される。ジョイント材１３Ａの接続部１３ｃは、図６に示したような、ストッパーを兼ねるジョイント材１３の結合面部１３ａ、１３ｂの端縁部１４によってジョイント材１３の上端部に確実に差し込まれる。このジョイント材１３Ａの本接続と同時に、ジョイント材１３Ａの結合面部１３ａに突設されたダボ１６が壁パネル５ｂのフレーム枠８の右フレーム８ｄの外側面１０に形成されたジョイント孔１２の縦孔部１２ｄに嵌まり込み、壁パネル５ｂとジョイント材１３Ａが結合され、壁パネル５ｂが壁パネル５ａの上に積み上げられて建て込まれる。以下同様にして内壁Ｗ２、Ｗ３側の壁パネル５ｂの建て込みを行う。
【００５５】
このように、壁パネル５ｂは、ジョイント材１３Ａをジョイント材１３に接続しながら建て込まれ、壁パネル５ａに積み上げることができるので、壁パネル５ｂの施工は容易であり、コーナー部において高い剛性を得ることができる。
【００５６】
なお、壁パネル５ｂを積み上げる際に壁パネル５ｂが壁パネル５ａに安定して積み上げられるように、図１５に示したように、下段の壁パネル５ａのフレーム枠８の上フレーム８ａに帯板２３が設けられ、中段の壁パネル５ｂのフレーム枠８の下フレーム８ｂに挟持片２４が設けられている。
【００５７】
帯板２３は、壁パネル５ａの横幅に略等しい横幅を有する横長形状の金属製の部材であり、上フレーム８ａの全長にわたって設けられている。帯板２３は、上フレーム８ａの裏面に当接し、ビス２５などの固着具により固定されている。帯板２３の上端部は壁パネル５ａの上端から上方に突出し、上端縁は、中段の壁パネル５ｂが下段の壁パネル５ａに積み上げられたときに壁パネル５ｂの下フレーム８ｂの上端面の若干下方に配置される。帯板２３の下端部は略直角に折り曲げられ、壁パネル５ａの裏面後方に向かう延設部２３ａが形成されている。延設部２３ａは帯板２３の強度を高めている。
【００５８】
挟持片２４は金属製の部材であり、壁パネル５ｂの横幅方向に一定の間隔で複数配設されている。挟持片２４は、取付部２４ａと、取付部２４ａの一端から略垂直に折れ曲がり、壁パネル５ｂの下端付近に延びる挟持部２４ｂとを有している。挟持部２４ｂは、略中央部において壁パネル５ｂの裏面後方に向かって斜めに折れ曲がっている。挟持片２４は、取付部２４ａを壁パネル５ｂの下フレーム８ｂの上端面に当接し、重ね合わせ、ダボ２６などの固着具によって固定されている。固定状態では、挟持片２４の挟持部２４ｂは、帯板２３の略厚み分下フレーム８ｂの裏面から離れて配置される。
【００５９】
壁パネル５ｂを壁パネル５ａに積み上げる際には、帯板２３の上端部を壁パネル５ｂの下フレーム８ｂと下フレーム８ｂに固定された挟持片２４の間に差し込む。挟持片２４の挟持部２４ｂは、略中央部において壁パネル５ｂの裏面後方に向かって斜めに折れ曲がっているので、帯板２３の差し込みは容易であり、挟持部２４ｂの弾性は壁パネル５ｂの厚み方向に作用するため、挟持部２４ｂは帯板２３を下フレーム８ｂとの間に挟持する。したがって、壁パネル５ｂは壁パネル５ａの上に安定して配置され、建て込みの際には、壁パネル５ｂを壁パネル５ａの上で横方向にスライドさせてジョイント材１３Ａに接近させることができ、壁パネル５ｂの施工がより容易となっている。また、挟持片２４が帯板２３を挟持することによって、帯板２３が壁パネル５ａ、５ｂの補強材として機能し、面強度が高まる。
【００６０】
このような帯板２３および挟持片２４は、帯板２３については下側の壁パネルの上端部に、挟持片２４については上側の壁パネルの下端部に配設することができる。つまり、中段の壁パネル５ｂには、フレーム枠８の上フレーム８ａに帯板２３が上記と同様に取り付けられ、中段の壁パネル５ｂの上に積み上げられる図４に示した上段の壁パネル５ｃには、フレーム枠８の下フレーム８ｂに挟持片２４が上記のように取り付けられる。
【００６１】
浴室１に中段の壁パネル５ｂを建て込んだ後には、図１６に示したように、浴室１と洗面室２の間の出入口３の左右両側に位置する各ジョイント材１３に洗面室２の内壁の施工に用いるジョイント材２７が連結され、床Ｆに立設される。ジョイント材２７には、ジョイント材１３、１３Ａと同様に、下段、中段および上段の壁パネル５ａ、５ｂ、５ｃの縦幅に略等しい長さを有する３種類のものが用意されている。各ジョイント材２７の構成は共通しており、ジョイント材１３、１３Ａと同様に、直交する２つの結合面部２７ａ、２７ｂを有し、下端部に結合面部２７ａ、２７ｂの裏面側から下方に延びる接続部を備えている。結合面部２７ａ、２７ｂには嵌合部としてダボが突設されている。
【００６２】
ジョイント材２７をジョイント材１３に連結する際には、ジョイント材２７の結合面部２７ａをジョイント材１３の結合面部１３ｂに重ね合わせ、結合面部２７ｂが結合面部１３ａに対向するように配置する。なお、このとき、重ね合わせる結合面部２７ａと結合面部１３ｂのダボを取り外しておく。そして、ビス２８などの固着具を用いてジョイント材２７をジョイント材１３に連結する。結合面部２７ａおよび結合面部１３ｂにはダボの取付け用の孔が形成されているため、ビス２８などの固着具による連結は容易である。また、ジョイント材２７の連結に先立って、内壁Ｗ１、Ｗ３側に建て込んだ壁パネル５ａ、５ｂに撓みなどが生じず、連結作業を安定して行うことができるように、ジョイント材１３Ａの結合面部１３ｂの上端部に突設されたダボ１６を利用して壁パネル５ｂ間に横架材２９を架設しておく。
【００６３】
ジョイント材２７の連結後、浴室１では上段の壁パネル５ｃの建て込みを壁パネル５ｂの施工と同様にして行い、内壁Ｗ１、Ｗ２、Ｗ３を完成させる。そして、天井パネルを取り付け、浴室１の施工を終了する。洗面室２では、ジョイント材２７および壁パネル５ａ、５ｂ、５ｃを用いて浴室１の施工と同様な手順で内壁を形成する。
【００６４】
その際の下段の壁パネル５ａの施工について、図１７に例示すると、壁パネル載置台５０は、壁パネル載置部５０ａおよび立ち上がり部５０ｃを有しているので、壁パネル５ａの下端部に図１１に示したフック１８および支持脚部１９を取り付け、壁パネル載置台５０に差し込むようにして載置することができる。壁パネル５ａを壁パネル載置台５０に載置する際に、化粧板７とフック１８の間に立ち上がり部５０ｃを差し込み、フック１８によって立ち上がり部５０ｃを挟持する。壁パネル５ａは、支持脚部１９の載置部１９ｃにおいて壁パネル載置部５０ａの壁パネル載置面４０上に載置される。
【００６５】
このように、浴室１および洗面室２において壁パネル５ａに両室共用の構造を適用することができ、部材の簡略化および施工の容易化が図れる。洗面室２においても、壁パネル５ａが位置決めされて建て込みが容易となり、化粧板７に支障をきたすことなく、また、安定して壁パネル載置台５０の壁パネル載置面４０上に壁パネル５ａを載置することができる。
【００６６】
なお、図１７には、図８＜ａ＞＜ｂ＞に示した壁パネル載置台５０を示したが、図９＜ａ＞＜ｂ＞に示した壁パネル載置台５０Ａ、５０Ｂについても同様である。
【００６７】
中段および上段の壁パネル５ｂ、５ｃも浴室１および洗面室２の両室に共用のものが用いられる。内壁の施工後、天井パネルを取り付け、洗面室２の施工を終了する。浴室１と洗面室２の間の出入口３には、図３に示したドアユニット６が取り付けられる。
【００６８】
このように、横長形状の壁パネル５ａ、５ｂ、５ｃを用いて浴室１と浴室１に隣接する洗面室２の内壁を統合して形成することができる。浴室１と洗面室２を統合して設計することができ、設計の手間が省け、また、浴室１と洗面室２の施工の取り合いが簡略化される。浴室１の施工と洗面室２の施工は連続的に行うことができ、作業効率が高い。形成される内壁は、図２に示したように浴室１から洗面室２まで統一感のあるものとなり、浴室１と洗面室２が連続する部屋として形成される。しかも、浴室１と洗面室２の間は透明なガラス板６ｂが嵌め込まれたドアユニット６によって間仕切りされているため、浴室１と洗面室２の統一感はより高まり、外観が非常に優れたものとなる。
【図面の簡単な説明】
【００６９】
【図１】本発明の浴室と洗面室の壁構造により形成された浴室および洗面室の一実施形態を示した平面図である。
【図２】図１に示した浴室および洗面室のＡ−Ａ断面図である。
【図３】図１に示した浴室および洗面室のＢ−Ｂ断面図である。
【図４】壁パネルを示した裏面図である。
【図５】＜ａ＞＜ｂ＞は、それぞれ、壁パネルの左右のフレームの外側面に形成された被嵌合部としてのジョイント孔を示した要部側面図である。
【図６】ジョイント材を示した斜視図である。
【図７】洗面室における下段の壁パネルの施工基準面を壁パネル載置台によって浴室に設置される床パンの壁パネル載置面の高さに上げる様子を示した要部斜視図である。
【図８】＜ａ＞＜ｂ＞は、それぞれ、洗面室の床上に設置される壁パネル載置台を示した正面側の斜視図、背面側の斜視図である。
【図９】＜ａ＞＜ｂ＞は、それぞれ、壁パネル載置台の別の形態を示した断面図である。
【図１０】＜ａ＞＜ｂ＞は、それぞれ、下段の壁パネルの施工手順を示した要部分解斜視図である。
【図１１】下段の壁パネルの床パン上への載置とジョイント材の接続について示した要部側面図である。
【図１２】下段の壁パネルのジョイント材を用いた連結状態とジョイント材の接続について示した要部断面図である。
【図１３】下段の壁パネルを建て込んだ状態を示した斜視図である。
【図１４】中段の壁パネルの施工手順を示した分解斜視図である。
【図１５】下段の壁パネルの上に中段の壁パネルを積み上げた状態を示した要部断面図である。
【図１６】浴室と洗面室における壁パネルの施工手順を示した要部平面図である。
【図１７】洗面室に下段の壁パネルを建て込んだ状態を示した要部断面図である。
【符号の説明】
【００７０】
１  浴室
２  洗面室
３、４  出入口
５ａ、５ｂ、５ｃ  壁パネル
１３、１３Ａ  ジョイント材
２７  ジョイント材
２７ａ、２７ｂ  結合面部
３０、４０  壁パネル載置面
５０、５０Ａ、５０Ｂ  壁パネル載置台
５０ａ  壁パネル載置部
５０ｂ  床固定部
５０ｃ  立ち上がり部
Ｆ１  床パン
Ｆ２  床
Ｗ１、Ｗ２、Ｗ３  内壁
【図１】
2008133609.tif 000003
【図２】
2008133609.tif 000004
【図３】
2008133609.tif 000005
【図４】
2008133609.tif 000006
【図５】
2008133609.tif 000007
【図６】
2008133609.tif 000008
【図７】
2008133609.tif 000009
【図８】
2008133609.tif 000010
【図９】
2008133609.tif 000011
【図１０】
2008133609.tif 000012
【図１１】
2008133609.tif 000013
【図１２】
2008133609.tif 000014
【図１３】
2008133609.tif 000015
【図１４】
2008133609.tif 000016
【図１５】
2008133609.tif 000017
【図１６】
2008133609.tif 000018
【図１７】
2008133609.tif 000019